(57)【要約】      （修正有）【課題】各シリンダボアのボア壁の境界及びその近傍の上部の冷却効率が高いウォータージャケットスペーサーを提供すること。【解決手段】シリンダボアを有する内燃機関のシリンダブロックの溝状冷却水流路に設置され、周方向に見たときに、溝状冷却水流路の周方向全部又は周方向の一部に設置されるウォータージャケットスペーサー３６ａであり、ボア間部上部の少なくとも一箇所に、該ウォータージャケットスペーサー３６ａの背面側の冷却水が内側に通り抜けるための冷却水通過口が形成されており、該冷却水通過口近傍に、該冷却水通過口に冷却水が流れ込むように冷却水を誘導する誘導壁２６ａ，２６ｂ，２６ｃを有し、該溝状冷却水流路に冷却水が供給される位置の各ボア部の背面側に、上り傾斜で延び、該冷却水通過口に向かう冷却水の流れを作る傾斜壁３０ａ，３０ｂを有すること、を特徴とするウォータージャケットスペーサー３６ａ。【選択図】図５
2018131963.tif 000002
【特許請求の範囲】
【請求項１】
シリンダボアを有する内燃機関のシリンダブロックの溝状冷却水流路に設置され、周方向に見たときに、溝状冷却水流路の周方向全部又は周方向の一部に設置されるウォータージャケットスペーサーであり、
ボア間部上部の少なくとも一箇所に、該ウォータージャケットスペーサーの背面側の冷却水が内側に通り抜けるための冷却水通過口が形成されており、
該冷却水通過口近傍に、該冷却水通過口に冷却水が流れ込むように冷却水を誘導する誘導壁を有し、
該溝状冷却水流路に冷却水が供給される位置の背面側に、上り傾斜で延び、該冷却水通過口に向かう冷却水の流れを作る傾斜壁を有すること、
を特徴とするウォータージャケットスペーサー。
【請求項２】
シリンダボアを有する内燃機関のシリンダブロックの溝状冷却水流路に設置され、周方向に見たときに、溝状冷却水流路の周方向全部又は周方向の一部に設置されるウォータージャケットスペーサーであり、
ボア間部上部の少なくとも一箇所に、該ウォータージャケットスペーサーの背面側の冷却水が内側に通り抜けるための冷却水通過口が形成されており、
該冷却水通過口近傍に、該冷却水通過口に冷却水が流れ込むように冷却水を誘導する誘導壁と、該誘導壁に向かって上り傾斜で延びる呼び込み壁と、を有すること、
を特徴とするウォータージャケットスペーサー。
【請求項３】
シリンダボアを有する内燃機関のシリンダブロックの溝状冷却水流路に設置され、周方向に見たときに、溝状冷却水流路の周方向全部に設置されるウォータージャケットスペーサーであり、
冷却水が溝状冷却水流路内に供給される位置に傾斜壁が形成されており、
冷却水の流れが強い方の片側半分の溝状冷却水流路に設置されるボア間部の上部の少なくとも一箇所に、該ウォータージャケットスペーサーの背面側の冷却水が内側に通り抜けるための冷却水通過口と、該冷却水通過口の近傍に、該冷却水通過口に冷却水が流れ込むように冷却水を誘導する誘導壁と、が形成されており、
冷却水の流れが強い方とは反対側の片側半分の溝状冷却水流路に設置されるボア間部の上部の少なくとも一箇所に、該ウォータージャケットスペーサーの背面側の冷却水が内側に通り抜けるための冷却水通過口と、該冷却水通過口の近傍に、該冷却水通過口に冷却水が流れ込むように冷却水を誘導する誘導壁と、該誘導壁に向かって上り傾斜で延びる呼び込み壁と、が形成されていること、
を特徴とするウォータージャケットスペーサー。
【発明の詳細な説明】
【技術分野】
【０００１】
本発明は、内燃機関のシリンダブロックのシリンダボア壁の溝状冷却水流路内に設置されるウォータージャケットスペーサー及びそれを備える内燃機関並びに該内燃機関を有する自動車に関する。
【背景技術】
【０００２】
内燃機関では、ボア内のピストンの上死点で燃料の爆発が起こり、その爆発によりピストンが押し下げられるという構造上、シリンダボア壁の上側は温度が高くなり、下側は温度が低くなる。そのため、シリンダボア壁の上側と下側では、熱変形量に違いが生じ、上側は大きく膨張し、一方、下側の膨張が小さくなる。
【０００３】
その結果、ピストンのシリンダボア壁との摩擦抵抗が大きくなり、これが、燃費を下げる要因となっているので、シリンダボア壁の上側と下側とで熱変形量の違いを少なくすることが求められている。
【０００４】
そこで、従来より、シリンダボア壁の壁温を均一にするために、溝状冷却水流路内にスペーサーを設置し、溝状冷却水流路内の冷却水の水流を調節して、冷却水によるシリンダボア壁の上側の冷却効率と及び下側の冷却効率を制御することが試みられてきた。例えば、特許文献１には、内燃機関のシリンダブロックに形成された溝状冷却用熱媒体流路内に配置されることで溝状冷却用熱媒体流路内を複数の流路に区画する流路区画部材であって、前記溝状冷却用熱媒体流路の深さに満たない高さに形成され、前記溝状冷却用熱媒体流路内をボア側流路と反ボア側流路とに分割する壁部となる流路分割部材と、前記流路分割部材から前記溝状冷却用熱媒体流路の開口部方向に向けて形成され、かつ先端縁部が前記溝状冷却用熱媒体流路の一方の内面を越えた形に可撓性材料で形成されていることにより、前記溝状冷却用熱媒体流路内への挿入完了後は自身の撓み復元力により前記先端縁部が前記内面に対して前記溝状冷却用熱媒体流路の深さ方向の中間位置にて接触することで前記ボア側流路と前記反ボア側流路とを分離する可撓性リップ部材と、を備えたことを特徴とする内燃機関冷却用熱媒体流路区画部材が開示されている。
【先行技術文献】
【特許文献】
【０００５】
【特許文献１】特開２００８−３１９３９号公報（特許請求の範囲）
【発明の開示】
【発明が解決しようとする課題】
【０００６】
ところが、特許文献１の内燃機関冷却用熱媒体流路区画部材によれば、ある程度のシリンダボア壁の壁温の均一化が図れるので、シリンダボア壁の上側と下側との熱変形量の違いを少なくすることができるものの、近年、更に、シリンダボア壁の上側と下側とで熱変形量の違いを少なくすることが求められている。
【０００７】
そして、近年、筒内に供給される空気と燃料の比である空燃比が従来のものに比べ大きい内燃機関が開発されており、このような内燃機関では、シリンダボア壁の上部の温度、特に、各シリンダボアのボア壁の境界及びその近傍の上部の温度が、従来のものに比べ高くなる。そのため、各シリンダボアのボア壁の境界及びその近傍の上部の冷却効率を高くすることが求められている。
【０００８】
従って、本発明の目的は、各シリンダボアのボア壁の境界及びその近傍の上部の冷却効率が高いウォータージャケットスペーサーを提供することにある。
【課題を解決するための手段】
【０００９】
上記課題は、以下の本発明により解決される。
すなわち、本発明（１）は、シリンダボアを有する内燃機関のシリンダブロックの溝状冷却水流路に設置され、周方向に見たときに、溝状冷却水流路の周方向全部又は周方向の一部に設置されるウォータージャケットスペーサーであり、
ボア間部上部の少なくとも一箇所に、該ウォータージャケットスペーサーの背面側の冷却水が内側に通り抜けるための冷却水通過口が形成されており、
該冷却水通過口近傍に、該冷却水通過口に冷却水が流れ込むように冷却水を誘導する誘導壁を有し、
該溝状冷却水流路に冷却水が供給される位置の背面側に、上り傾斜で延び、該冷却水通過口に向かう冷却水の流れを作る傾斜壁を有すること、
を特徴とするウォータージャケットスペーサーを提供するものである。
【００１０】
また、本発明（２）は、シリンダボアを有する内燃機関のシリンダブロックの溝状冷却水流路に設置され、周方向に見たときに、溝状冷却水流路の周方向全部又は周方向の一部に設置されるウォータージャケットスペーサーであり、
ボア間部上部の少なくとも一箇所に、該ウォータージャケットスペーサーの背面側の冷却水が内側に通り抜けるための冷却水通過口が形成されており、
該冷却水通過口近傍に、該冷却水通過口に冷却水が流れ込むように冷却水を誘導する誘導壁と、該誘導壁に向かって上り傾斜で延びる呼び込み壁と、を有すること、
を特徴とするウォータージャケットスペーサーを提供するものである。
【００１１】
また、本発明（３）は、シリンダボアを有する内燃機関のシリンダブロックの溝状冷却水流路に設置され、周方向に見たときに、溝状冷却水流路の周方向全部に設置されるウォータージャケットスペーサーであり、
冷却水が溝状冷却水流路内に供給される位置に傾斜壁が形成されており、
冷却水の流れが強い方の片側半分の溝状冷却水流路に設置されるボア間部の上部の少なくとも一箇所に、該ウォータージャケットスペーサーの背面側の冷却水が内側に通り抜けるための冷却水通過口と、該冷却水通過口の近傍に、該冷却水通過口に冷却水が流れ込むように冷却水を誘導する誘導壁と、が形成されており、
冷却水の流れが強い方とは反対側の片側半分の溝状冷却水流路に設置されるボア間部の上部の少なくとも一箇所に、該ウォータージャケットスペーサーの背面側の冷却水が内側に通り抜けるための冷却水通過口と、該冷却水通過口の近傍に、該冷却水通過口に冷却水が流れ込むように冷却水を誘導する誘導壁と、該誘導壁に向かって上り傾斜で延びる呼び込み壁と、が形成されていること、
を特徴とするウォータージャケットスペーサーを提供するものである。
【００１２】
また、本発明（４）は、シリンダブロックの溝状冷却水流路の全部又は一部に、（１）〜（３）いずれかのウォータージャケットスペーサーが設置されていることを特徴とする内燃機関を提供するものである。
【００１３】
また、本発明（５）は、シリンダブロックの溝状冷却水流路の一方の片側半分に、（１）のウォータージャケットスペーサーが設置されており、且つ、シリンダブロックの溝状冷却水流路の他方の片側半分に、（２）のウォータージャケットスペーサーが設置されていることを特徴とする内燃機関を提供するものである。
【００１４】
また、本発明（６）は、（４）又は（５）の内燃機関を有することを特徴とする自動車を提供するものである。
【発明の効果】
【００１５】
本発明によれば、各シリンダボアのボア壁の境界及びその近傍の上部の冷却効率が高いウォータージャケットスペーサーを提供することができる。
【図面の簡単な説明】
【００１６】
【図１】本発明のウォータージャケットスペーサーが設置されるシリンダブロックの形態例を示す模式的な平面図である。
【図２】図１のｘ−ｘ線断面図である。
【図３】図１に示すシリンダブロックの斜視図である。
【図４】本発明のウォータージャケットスペーサーが設置されるシリンダブロックの形態例を示す模式的な平面図である。
【図５】本発明のウォータージャケットスペーサーの形態例を示す模式的な斜視図である。
【図６】図５に示すウォータージャケットスペーサーを上側から見た平面図である。
【図７】図５に示すウォータージャケットスペーサーを内側から見た側面図である。
【図８】図５に示すウォータージャケットスペーサーを背面側から見た側面図である。
【図９】本発明のウォータージャケットスペーサーの形態例を示す模式的な斜視図である。
【図１０】図９に示すウォータージャケットスペーサーを上側から見た平面図である。
【図１１】図９に示すウォータージャケットスペーサーを内側から見た側面図である。
【図１２】図９に示すウォータージャケットスペーサーを背面側から見た側面図である。
【図１３】図１に示すシリンダブロック１１に、ウォータージャケットスペーサー３６ａ及び１３６ａを設置する様子を示す模式図である。
【図１４】図１に示すシリンダブロック１１に、ウォータージャケットスペーサー３６ａ及び１３６ａが設置されている様子を示す模式図である。
【図１５】溝冷却水流路に供給された冷却水の流れ方を示す図である。
【図１６】溝冷却水流路に供給された冷却水の流れ方を示す図である。
【図１７】溝冷却水流路に供給された冷却水の流れ方を示す図である。
【図１８】溝冷却水流路に供給された冷却水の流れ方を示す図である。
【図１９】溝冷却水流路に供給された冷却水の流れ方を示す図である。
【図２０】本発明のウォータージャケットスペーサーの他の形態例を示す模式的な斜視図である。
【図２１】図２０に示すウォータージャケットスペーサーを上側から見た平面図である。
【図２２】図２０に示すウォータージャケットスペーサーの冷却水通過口が形成されている側を背面側から見た側面図である。
【図２３】図２０に示すウォータージャケットスペーサーの冷却水通過口が形成されていいない側を背面側から見た側面図である。
【図２４】図２０に示すウォータージャケットスペーサーの冷却水流れ変更部材６６の拡大図である。
【図２５】溝冷却水流路に供給された冷却水の流れ方を示す図である。
【図２６】溝冷却水流路に供給された冷却水の流れ方を示す図である。
【図２７】溝冷却水流路に供給された冷却水の流れ方を示す図である。
【図２８】溝冷却水流路に供給された冷却水の流れ方を示す図である。
【図２９】誘導壁の形態例を示す模式図である。
【図３０】冷却水流れ抑制壁の形態例を示す模式図である。
【図３１】本発明のウォータージャケットスペーサーの他の形態例を示す模式的な斜視図である。
【図３２】図３１に示すウォータージャケットスペーサーを上側から見た平面図である。
【図３３】図３１に示すウォータージャケットスペーサーの傾斜壁が形成されている側を背面側から見た側面図である。
【図３４】図３１に示すウォータージャケットスペーサーの傾斜壁が形成されていいない側を背面側から見た側面図である。
【発明を実施するための形態】
【００１７】
本発明のウォータージャケットスペーサー及び本発明の内燃機関について、図１〜図１２を参照して説明する。図１〜図４は、本発明のウォータージャケットスペーサーが設置されるシリンダブロックの形態例を示すものであり、図１及び図４は、本発明のウォータージャケットスペーサーが設置されるシリンダブロックを示す模式的な平面図であり、図２は、図１のｘ−ｘ線断面図であり、図３は、図１に示すシリンダブロックの斜視図である。図５は、本発明のウォータージャケットスペーサーの形態例を示す模式的な斜視図である。図６は、図５中のウォータージャケットスペーサー３６ａを上から見た図である。図７は、図５中のウォータージャケットスペーサー３６ａを横から見た図であり、内側から見た図である。図８は、図５中のウォータージャケットスペーサー３６ａを横から見た図であり、背面側から見た図である。図９は、本発明のウォータージャケットスペーサーの形態例を示す模式的な斜視図である。図１０は、図９中のウォータージャケットスペーサー１３６ａを上から見た図である。図１１は、図９中のウォータージャケットスペーサー１３６ａを横から見た図であり、内側から見た図である。図１２は、図９中のウォータージャケットスペーサー１３６ａを横から見た図であり、背面側から見た図である。
【００１８】
図１〜図３に示すように、シリンダボア壁の保温具が設置される車両搭載用内燃機関のオープンデッキ型のシリンダブロック１１には、ピストンが上下するためのボア１２、及び冷却水を流すための溝状冷却水流路１４が形成されている。そして、ボア１２と溝状冷却水流路１４とを区切る壁が、シリンダボア壁１３である。また、シリンダブロック１１には、溝状冷却水流路１１へ冷却水を供給するための冷却水供給口１５及び冷却水を溝状冷却水流路１１から排出するための冷却水排出口１６が形成されている。
【００１９】
このシリンダブロック１１には、２つ以上のボア１２が直列に並ぶように形成されている。そのため、ボア１２には、１つのボアに隣り合っている端ボア１２ａ１、１２ａ２と、２つのボアに挟まれている中間ボア１２ｂ１、１２ｂ２とがある（なお、シリンダブロックのボアの数が２つの場合は、端ボアのみである。）。直列に並んだボアのうち、端ボア１２ａ１、１２ａ２は両端のボアであり、また、中間ボア１２ｂ１、１２ｂ２は、一端の端ボア１２ａ１と他端の端ボア１２ａ２の間にあるボアである。端ボア１２ａ１と中間ボア１２ｂ１の間の壁、中間ボア１２ｂ１と中間ボア１２ｂ２の間の壁、中間ボア１２ｂ２と端ボア１２ａ２の間の壁（ボア間壁１９１）は、２つのボアに挟まれる部分なので、２つのシリンダボアから熱が伝わるため、他の壁に比べ壁温が高くなる。そのため、溝状冷却水流路１４のシリンダボア側の壁面１７では、ボア間壁１９１の近傍が、温度が最も高くなるので、溝状冷却水流路１４のシリンダボア側の壁面１７のうち、各シリンダボアのボア壁の境界１９２及びその近傍の温度が最も高くなる。
【００２０】
また、本発明では、溝状冷却水流路１４の壁面のうち、シリンダボア１３側の壁面を、溝状冷却水流路のシリンダボア側の壁面１７と記載し、溝状冷却水流路１４の壁面のうち、溝状冷却水流路のシリンダボア側の壁面１７とは反対側の壁面を壁面１８と記載する。
【００２１】
また、本発明において、片側半分とは、シリンダブロックをシリンダボアが並んでいる方向で垂直に二分割したときの片側の半分を指す。よって、本発明において、全シリンダボアのボア壁のうちの片側半分のボア壁とは、全シリンダボア壁をシリンダボアが並んでいる方向で垂直に二分割したときの片側の半分のボア壁を指す。例えば、図４では、シリンダボアが並んでいる方向がＺ−Ｚ方向であり、このＺ−Ｚ線で垂直に二分割したときの片側半分のボア壁のそれぞれが、全シリンダボアのボア壁のうちの片側半分のボア壁である。つまり、図４では、Ｚ−Ｚ線より２０ａ側のボア壁が、全シリンダボアのボア壁のうちの一方の片側半分のボア壁２１ａであり、Ｚ−Ｚ線より２０ｂ側のボア壁が、全シリンダボアのボア壁のうちの他方の片側半分のボア壁２１ｂである。また、全シリンダボア壁のうちの片側とは、片側半分のボア壁２１ａ又は片側半分のボア壁２１ｂのいずれかを指す。また、本発明において、溝状冷却水流路のうちの片側半分の溝状冷却水流路とは、全溝状冷却水流路をシリンダボアが並んでいる方向で垂直に二分割したときの片側の半分の溝状冷却水流路を指す。図４では、Ｚ−Ｚ線より２０ａ側の溝状冷却水流路が、全溝状冷却水流路のうちの一方の片側半分の溝状冷却水流路１４ａであり、Ｚ−Ｚ線より２０ｂ側の溝状冷却水流路が、全溝状冷却水流路のうちの他方の片側半分の溝状冷却水流路１４ｂである。
【００２２】
また、本発明において、各シリンダボアのボア壁とは、１つ１つのシリンダボアに対応する各ボア壁部分を指し、図４では、両矢印２２ａ１で示す範囲が、シリンダボア１２ａ１のボア壁２３ａ１であり、両矢印２２ｂ１で示す範囲が、シリンダボア１２ｂ１のボア壁２３ｂ１であり、両矢印２２ｂ２で示す範囲が、シリンダボア１２ｂ２のボア壁２３ｂ２であり、両矢印２２ａ２で示す範囲が、シリンダボア１２ａ２のボア壁２３ａ２であり、両矢印２２ｂ３で示す範囲が、シリンダボア１２ｂ１のボア壁２３ｂ３であり、両矢印２２ｂ４で示す範囲が、シリンダボア１２ｂ２のボア壁２３ｂ４である。つまり、シリンダボア１２ａ１のボア壁２３ａ１、シリンダボア１２ｂ１のボア壁２３ｂ１、シリンダボア１２ｂ２のボア壁２３ｂ２、シリンダボア１２ａ２のボア壁２３ａ２、シリンダボア１２ｂ１のボア壁２３ｂ３及びシリンダボア１２ｂ２のボア壁２３ｂ４が、それぞれ、各シリンダボアのボア壁である。
【００２３】
図５に示すウォータージャケットスペーサー３６ａは、本発明の第一の形態のウォータージャケットスペーサーの形態例であり、図４中、一方の片側半分の溝状冷却水流路１４ａ（２０ａ側）に設置されるウォータージャケットスペーサーである。ウォータージャケットスペーサー３６ａは、冷却水が供給される位置のウォータージャケットスペーサーの各ボア部に、傾斜壁に加え、冷却水当たり面及び冷却水流れ抑制壁が形成されている形態例である。
【００２４】
ウォータージャケットスペーサー３６ａは、上から見たときに、４つの円弧が連続する形状に成形されており、ウォータージャケットスペーサー３６ａの形状は、溝状冷却水流路１４の片側半分に沿う形状である。ウォータージャケットスペーサー３６ａは、合成樹脂の射出成形体である。つまり、ウォータージャケットスペーサー３６ａは合成樹脂で形成されている。
【００２５】
ウォータージャケットスペーサー３６ａの形状は、上から見たときに、４つの円弧が繋がった形状であり、各シリンダボア側のウォータージャケットスペーサー３６ａの各部分が、各ボア部である。つまり、ウォータージャケットスペーサー３６ａの円弧状の部分のそれぞれが、ウォータージャケットスペーサーの各ボア部である。ウォータージャケットスペーサー３６ａでは、上から見た時に円弧状の、一端の端ボア１２ａ１側の各ボア部３６１と、中間ボア１２ｂ１側の各ボア部３６２ａと、中間ボア１２ｂ２側の各ボア部３６２ｂと、他端の端ボア１２ａ２側の各ボア部３６２ｃと、が繋がっている。
【００２６】
ウォータージャケットスペーサー３６ａの各ボア部には、傾斜壁３０が形成されている各ボア部３６１と、傾斜壁３０が形成されていない各ボア部３６２とがある。なお、冷却水５３は、ウォータージャケットスペーサー３６ａに対して、図６中の矢印で示す方向に供給される。
【００２７】
各ボア部３６１は、冷却水が溝状冷却水流路内に供給される位置にある各ボア部である。図４に示すシリンダブロック１１の場合だと、冷却水供給口１５が形成されている位置は、シリンダボア１２ａ１側且つ片側２０ａ側の溝状冷却水流路なので、シリンダボア１２ａ１側の各ボア部３６１が、冷却水が溝状冷却水流路内に供給される位置にある各ボア部である。
【００２８】
各ボア部３６１には、背面側に、冷却水当たり面２９と、冷却水流れ抑制壁２４と、傾斜壁３０とが形成されている。冷却水当たり面２９は、シリンダブロックの外から供給される冷却水が最初に当たる面である。冷却水流れ抑制壁２４は、冷却水当たり面２９に当たった冷却水が、冷却水流れ方向とは反対方向５２に流れず且つ傾斜壁３０に向かって流れるようにする壁である。そのため、冷却水流れ抑制壁２４は、冷却水当たり面２９の冷却水が流れて行く側とは反対側部分を囲むように形成されている。つまり、冷却水当たり面２９の冷却水が流れて行く側とは反対側部分の上側と横側と下側に、壁が形成されている。傾斜壁３０は、冷却水当たり面２９に当たった後、冷却水流れ方向５１に流れ出した冷却水が、冷却水通過口２５に向かって流れるように、冷却水の当たり面２９から冷却水通過口２５に向かう冷却水の流れを作る傾斜壁である。そのため、傾斜壁３０は、冷却水当たり面２９の近傍を始点として、冷却水の当たり面２９の近傍から上り傾斜で延びている。
【００２９】
ウォータージャケットスペーサーのボア間部５４の上部には、冷却水通過口２５が形成されている。冷却水通過口２５は、ウォータージャケットスペーサー３６ａの背面側の冷却水が、ウォータージャケットスペーサー３６ａの内側に通り抜ける通過口である。そして、冷却水通過口２５の近傍には、誘導壁２６が形成されている。誘導壁２６は、冷却水の当たり面２９から冷却水通過口２５に向かって流れてくる冷却水が、冷却水通過口２５に流れ込むように、冷却水を誘導するための壁である。誘導壁２６には、冷却水通過口２５の上側に上側壁２６１と冷却水流れ方向側の横側に横側壁２６２とがあるので、冷却水通過口２５の斜め下から流れてくる冷却水を、上側壁２６１と横側壁２６２とが堰き止めるため、冷却水は、冷却水通過口２５に流れ込む。また、誘導壁２６の横側壁２６２の下端には、横側壁２６２の下端に向かって上り傾斜の呼び込み壁２６３が繋がっている。呼び込み壁２６３は、冷却水通過口２５より少し下を通過する冷却水を、冷却水通過口２５に集める役割を果たす。なお、図５に示す形態例では、誘導壁２６ａの呼び込み壁は、傾斜壁３０ａと繋がっている。
【００３０】
ウォータージャケットスペーサー３６ａのうち、隣り合う各ボア部が繋がる部位が、ウォータージャケットスペーサーの各ボア部の境界４８である。そして、ウォータージャケットスペーサー３６ａのうち、各ボア部の境界４８及びその近傍の部分は、溝状冷却水流路側の壁面のうち、ボア間壁１９１の横側に相当する壁面に対向する部分である。本発明では、ウォータージャケットスペーサーのうち、ウォータージャケットスペーサーの各ボア部の境界及びその近傍の部分、すなわち、溝状冷却水流路側の壁面のうち、ボア間壁の横側に相当する壁面と対向する部分を、ウォータージャケットスペーサーのボア間部と呼ぶ。
【００３１】
ウォータージャケットスペーサー３６ａの内側には、縦リブ３４が、各ウォータージャケットスペーサーの各ボア部毎に形成されている。なお、本発明において、ウォータージャケットスペーサーの内側には、縦リブが形成されていても、形成されていなくてもよく、縦リブの形成、形成位置、形成する数は必要に応じて適宜選択される。
【００３２】
図９に示すウォータージャケットスペーサー１３６ａは、本発明の第二の形態のウォータージャケットスペーサーの形態例であり、図４中、一方の片側半分の溝状冷却水流路１４ｂ（２０ｂ側）に設置されるウォータージャケットスペーサーである。ウォータージャケットスペーサー１３６ａは、ウォータージャケットスペーサーの各ボア部のいずれにも、傾斜壁は形成されていない形態である。
【００３３】
ウォータージャケットスペーサー１３６ａは、上から見たときに、４つの円弧が連続する形状に成形されており、ウォータージャケットスペーサー１３６ａの形状は、溝状冷却水流路１４の片側半分１４ｂに沿う形状である。ウォータージャケットスペーサー１３６ａは、合成樹脂の射出成形体である。つまり、ウォータージャケットスペーサー１３６ａは合成樹脂で形成されている。
【００３４】
ウォータージャケットスペーサー１３６ａの形状は、上から見たときに、４つの円弧が繋がった形状である。ウォータージャケットスペーサー１３６ａでは、上から見た時に円弧状の、一端の端ボア１２ａ１側の各ボア部３６３ｄと、中間ボア１２ｂ１側の各ボア部３６３ｃと、中間ボア１２ｂ２側の各ボア部３６３ｂと、他端の端ボア１２ａ２側の各ボア部３６３ａと、が繋がっている。
【００３５】
ウォータージャケットスペーサー１３６ａは、溝状冷却水流路内に流れ込んできた冷却水が、勢いよく流れる側の片側半分の溝状冷却水流路ではなく、片側半分の溝状冷却水流路を流れて、流れが緩やかになった冷却水が流れる側の片側半分（図４の形態例だと、片側半分１４ｂ）の溝状冷却水流路に設置される。そのため、ウォータージャケットスペーサー１３６ａのいずれの各ボア部にも、傾斜壁は形成されていない。
【００３６】
ウォータージャケットスペーサー１３６ａでは、ボア間部５４の上部に、冷却水通過口２５が形成されている。冷却水通過口２５は、ウォータージャケットスペーサー１３６ａの背面側の冷却水が、ウォータージャケットスペーサー１３６ａの内側に通り抜ける通過口である。そして、冷却水通過口２５の近傍には、誘導壁１２６が形成されている。誘導壁１２６は、ウォータージャケットスペーサー１３６ａの背面側を流れ、冷却水通過口２５に向かって流れてくる冷却水が、冷却水通過口２５に流れ込むように、冷却水を誘導するための壁である。誘導壁１２６には、冷却水通過口２５の上側に上側壁２６１と冷却水流れ方向側の横側に横側壁２６２とがあるので、冷却水通過口２５の斜め下から流れてくる冷却水を、上側壁２６１と横側壁２６２とが堰き止めるため、冷却水は、冷却水通過口２５に流れ込む。また、誘導壁１２６の横側壁２６２の下端には、横側壁２６２の下端に向かって上り傾斜の呼び込み壁２６３が繋がっている。呼び込み壁２６３は、冷却水通過口２５より下を通過する冷却水を、冷却水通過口２５に集める役割を果たす。
【００３７】
ウォータージャケットスペーサー１３６ａの内側には、縦リブ３４が、各ウォータージャケットスペーサーの各ボア部毎に形成されている。
【００３８】
ウォータージャケットスペーサー３６ａ及びウォータージャケットスペーサー１３６ａは、例えば、図１に示すシリンダブロック１１の溝状冷却水流路１４に設置される。図１３に示すように、ウォータージャケットスペーサー３６ａ及びウォータージャケットスペーサー１３６ａを、シリンダブロック１１の溝状冷却水流路１４に挿入して、図１４に示すように、ウォータージャケットスペーサー３６ａ及びウォータージャケットスペーサー１３６ａを、溝状冷却水流路１４に設置する。このようにして、ウォータージャケットスペーサー３６ａは、一方の片側半分の溝状冷却水流路１４ａに、ウォータージャケットスペーサー１３６ａは、他方の片側半分の溝状冷却水流路１４ｂに設置される。
【００３９】
ウォータージャケットスペーサー３６ａ及びウォータージャケットスペーサー１３６ａが図１に示すシリンダロック１１の溝状冷却水流路１４に設置されている状態で、溝状冷却水流路１４に冷却水が供給されたときの冷却水の流れを図１５〜図１９を参照して説明する。図１５は、シリンダブロック１１の冷却水供給口１５から冷却水５３が供給され、冷却水排出口１６より排出されているときの、溝状冷却水流路を流れる冷却水５３の流れ方向を示す図であり、シリンダブロック１１を上から見た図である。なお、図１５では、説明の都合上、ウォータージャケットスペーサー３６ａの冷却水流れ抑制壁２４の輪郭のみを二点鎖線で示し、ウォータージャケットスペーサー３６ａのその他の部分及びウォータージャケットスペーサー１３６ａの記載を省略した。図１５に示すように、冷却水供給口１５の近傍にある冷却水流れ抑制壁２４の存在により、冷却水供給口１５から供給された冷却水５３は、先ず、一方の片側半分の溝状冷却水流路１４ａを冷却水供給口１５側の端から反対側の端に向かって流れ、次いで、一方の片側半分の溝状冷却水流路１４ａの冷却水供給口１５とは反対側の端まで流れると、他方の片側半分の溝状冷却水流路１４ｂに回り込み、他方の片側半分の溝状冷却水流路１４ｂを、冷却水排出口１６に向かって流れ、次いで、冷却水排出口１６より排出される。
【００４０】
図１６に示すように、冷却水供給口１５から供給される冷却水５３は、先ず、ウォータージャケットスペーサー３６ａの各ボア部３６１の背面側の冷却水当たり面２９に当たる。そして、冷却水当たり面２９の冷却水流れ方向側とは反対側には、冷却水流れ抑制壁２４が形成されており、冷却水当たり面２９のうちの、冷却水流れ方向側とは反対側の半分程度の部分を囲むように、冷却水流れ抑制壁２４が形成されているので、冷却水当たり面２９に当たった冷却水５３は、冷却水流れ方向とは反対方向５２に流れずに、冷却水流れ方向５１に、傾斜壁３０に向かって流れ出す。次いで、図１７に示すように、冷却水当たり面２９の冷却水流れ方向の先には、冷却水当たり面２９の近傍から上り傾斜で延びる傾斜壁３０が形成されているので、傾斜壁３０に向かって流れ出した冷却水５３は、この傾斜壁３０により流れが変えられて、ウォータージャケットスペーサーのボア間部５４の上部に形成されている冷却水通過口２５に向かって流れる。つまり、傾斜壁３０により、ボア間部５４の上部に形成されている冷却水通過口２５に向かって流れる冷却水の流れが作られる。図１７に示す形態例のウォータージャケットスペーサー３６ａには、ボア間部５４の上部３箇所に、冷却水通過口２５ａ、２５ｂ、２５ｃが形成されており、傾斜壁３０ａと傾斜壁３０ｂの２つが、冷却水通過口２５ａに向かう冷却水流れと、冷却水通過口２５ｂに向かう冷却水流れと、冷却水通過口２５ｃに向かう冷却水流れとを作る。次いで、図１８に示すように、冷却水通過口２５の近傍には、冷却水通過口２５に向かって流れてきた冷却水５３が冷却水通過口２５に流れ込むように誘導する誘導壁２６が形成されているので、冷却水通過口２５に向かって流れてきた冷却水５３は、誘導壁２６よって、冷却水通過口２５に流れ込み、ウォータージャケットスペーサー３６ａの外側から内側へと流れていく。冷却水通過口２５は、ウォータージャケットスペーサーのボア間部５４の上部に形成されているので、冷却水通過口２５の先には、各シリンダボアのボア壁の境界１９２及びその近傍の上部がある。そして、冷却水当たり面２９から冷却水通過口２５に向かって流れてくる冷却水５３は、温度が低く、また、各シリンダボアのボア壁の境界１９２及びその近傍の上部は、溝状冷却水流路のシリンダボア側の壁面のうち、最も温度が高くなる部分である。そのため、ウォータージャケットスペーサー３６ａによれば、冷却水当たり面２９から冷却水通過口２５に向かって流れてくる冷却水５３、すなわち、温度が低い冷却水を、溝状冷却水流路のシリンダボア側の壁面のうち、最も温度が高くなる部分に当てることができるので、冷却効率が高くなる。
【００４１】
溝状冷却水流路内に流れ込んできた冷却水が、勢いよく流れる側とは反対側の片側半分の溝状冷却水流路（図１５では、片側半分の溝状冷却水流路１４ｂ）では、冷却水はゆっくりと流れている。通常、シリンダブロックには、各シリンダボアのボア壁の境界の上部からシリンダヘッドのボア間壁に抜けるドリルパスと呼ばれる冷却水の通過孔が設けられているので、ウォータージャケットスペーサー１３６ａの背面側の溝状冷却水流路には、各シリンダボアのボア壁の境界の上部、つまり、ボア間部５４の上部に形成されている冷却水通過口２５ｆ、２５ｇ、２５ｈに向かって、緩やかな冷却水の流れが生じている。そして、図１９に示すように、呼び込み壁２６３ｆ、２６３ｇ、２６３ｈにより、冷却水通過口２５ｇの下側を流れる冷却水５３は、冷却水通過口２５ｆ、２５ｇ、２５ｈに向かってくる冷却水５３と共に、冷却水通過口２５ｆ、２５ｇ、２５ｈの方に集められ、誘導壁１２６ａ、１２６ｂ、１２６ｃによって、冷却水通過口２５ｆ、２５ｇ、２５ｈに流れ込む。そのため、ウォータージャケットスペーサー１３６ａによれば、背面側を流れる冷却水を集めて、ドリルパスの入り口に流れ込ませることができるので、冷却効率が高くなる。
【００４２】
また、本発明の他の形態例のウォータージャケットスペーサーについて説明する。図２０は、本発明のウォータージャケットスペーサーの他の形態例を示す模式的な斜視図である。図２１は、図２０中のウォータージャケットスペーサー３６ｂを上から見た図である。図２２は、図２０中のウォータージャケットスペーサー３６ｂを横から見た図であり、冷却水通過口が形成されている側から見た図である。図２３は、図２０中のウォータージャケットスペーサー３６ｂを横から見た図であり、冷却水通過口が形成されていない側から見た図である。
【００４３】
図２０に示すウォータージャケットスペーサー３６ｂは、本発明の他の形態例のウォータージャケットスペーサーであり、図２８中、溝状冷却水流路１４の周方向の全部に設置されるウォータージャケットスペーサーである。ウォータージャケットスペーサー３６ｂは、冷却水が供給される位置のウォータージャケットスペーサーの各ボア部に、傾斜壁は形成されているが、冷却水当たり面及び冷却水流れ抑制壁は形成されていない形態例である。
【００４４】
ウォータージャケットスペーサー３６ｂは、上から見たときに、シリンダボア壁を一周囲む形状に成形されており、ウォータージャケットスペーサー３６ｂの形状は、溝状冷却水流路１４の全周に沿う形状である。ウォータージャケットスペーサー３６ｂは、合成樹脂の射出成形体である。つまり、ウォータージャケットスペーサー３６ｂは合成樹脂で形成されている。
【００４５】
ウォータージャケットスペーサー３６ｂの形状は、上から見たときに、６つの円弧が繋がった形状であり、各シリンダボア側のウォータージャケットスペーサー３６ｂの各部分が、各ボア部である。つまり、ウォータージャケットスペーサー３６ｂの円弧状の部分のそれぞれが、ウォータージャケットスペーサーの各ボア部である。ウォータージャケットスペーサー３６ｂでは、上から見た時に円弧状の、一端の端ボア側の各ボア部５６１と、中間ボア側の各ボア部５６２ａと、中間ボア側の各ボア部５６２ｂと、他端の端ボア側の各ボア部５６２ｃと、中間ボア側の各ボア部５６２ｄと、中間ボア側の各ボア部５６２ｅと、が順に繋がっている。
【００４６】
ウォータージャケットスペーサーの各ボア部には、傾斜壁５０が形成されている各ボア部５６１と、傾斜壁５０が形成されていない各ボア部５６２とがある。
【００４７】
各ボア部５６１は、冷却水が溝状冷却水流路内に供給される位置にある各ボア部である。図２８に示すシリンダブロック３１の場合だと、冷却水供給口３５が形成されている位置に、各ボア部５６１がある。
【００４８】
各ボア部５６１には、背面側に、傾斜壁５０が形成されている。傾斜壁５０は、冷却水供給口３５から供給された冷却水が、冷却水通過口４５に向かって流れるように、冷却水が流れ込んでくる位置近傍から冷却水通過口４５に向かう冷却水の流れを作る傾斜壁である。そのため、傾斜壁５０は、冷却水供給口から供給された冷却水の多くが、ウォータージャケットスペーサーと溝状冷却水流路のシリンダボア側の壁面とは反対側の壁面との間に流れ込む位置近傍を始点として、上り傾斜で延びている。
【００４９】
ウォータージャケットスペーサーのボア間部５４の上部には、冷却水通過口４５が形成されている。冷却水通過口４５は、ウォータージャケットスペーサー３６ｂの背面側の冷却水が、ウォータージャケットスペーサー３６ｂの内側に通り抜ける通過口である。そして、冷却水通過口４５の近傍には、誘導壁４６が形成されている。誘導壁４６は、冷却水が流れ込んでくる位置から冷却水通過口４５に向かって流れてくる冷却水が、冷却水通過口４５に流れ込むように、冷却水を誘導するための壁である。誘導壁４６には、冷却水通過口４５の上側に上側壁４６１と冷却水流れ方向側の横側に横側壁４６２とがあるので、冷却水通過口４５の斜め下から流れてくる冷却水を、上側壁４６１と横側壁４６２とが堰き止めるため、冷却水は、冷却水通過口４５に流れ込む。また、誘導壁４６の横側壁４６２の下端には、横側壁４６２の下端に向かって上り傾斜の呼び込み壁４６３が繋がっている。呼び込み壁４６３は、冷却水通過口４５より少し下を通過する冷却水を、冷却水通過口４５に集める役割を果たす。なお、図２０に示す形態例では、誘導壁４６ａの呼び込み壁は、傾斜壁５０ａと繋がっている。
【００５０】
ウォータージャケットスペーサー３６ｂの内側には、縦リブ５５が、各ウォータージャケットスペーサーの各ボア部毎に形成されている。また、ウォータージャケットスペーサー３６ｂの各ボア部のうち、各ボア部５６１には、冷却水流れ変更部材６６が形成されている。冷却水流れ変更部材６６は、溝状冷却水流路を流れてきた冷却水の流れを止め、冷却水の流れを上向きに変える部材である。なお、流れの向きを上向きに変えた冷却水は、シリンダブロックの上に設置されているシリンダヘッドの冷却水流路に流れ込む。
【００５１】
ウォータージャケットスペーサー３６ｂは、例えば、図２８に示すシリンダブロック３１の溝状冷却水流路１４に設置される。
【００５２】
ウォータージャケットスペーサー３６ｂが図２８に示すシリンダロック３１の溝状冷却水流路１４に設置されている状態で、溝状冷却水流路１４に冷却水が供給されたときの冷却水の流れを図２５〜図２８を参照して説明する。図２８は、シリンダブロック３１の冷却水供給口３５から冷却水５３が供給され、シリンダブロック３１の上に設置されているシリンダヘッドの冷却水流路に排出されているときの、溝状冷却水流路を流れる冷却水５３の流れ方向を示す図であり、シリンダブロック３１を上から見た図である。なお、図２８では、説明の都合上、ウォータージャケットスペーサー３６ｂの冷却水流れ変更部材６６の輪郭のみを二点鎖線で示し、ウォータージャケットスペーサー３６ｂのその他の部分の記載を省略した。図２８に示すように、シリンダブロック３１の構造は、冷却水供給口３１から供給される冷却水が、溝状冷却水流路１４内に設置されているウォータージャケットスペーサーの背面に強く当たらずに、ウォータージャケットスペーサーと溝状冷却水流路のシリンダブロック側の壁面とは反対側の壁面との間を通って、一方の片側半分の溝状冷却水流路１４ａに流れていく構造である。そして、一方の片側半分の溝状冷却水流路１４ａの一端側に流れ込んだ冷却水は、先ず、一方の片側半分の溝状冷却水流路１４ａの一端側から反対側の端に向かって流れ、次いで、一方の片側半分の溝状冷却水流路１４ａの冷却水が流れ込む側の端とは反対側の端まで流れると、他方の片側半分の溝状冷却水流路１４ｂに回り込み、他方の片側半分の溝状冷却水流路１４ｂを、冷却水供給口３５の方に向かって流れる。他方の片側半分の溝状冷却水流路１４ｂにおける冷却水の流れ方向で、冷却水供給口３５の手前には、冷却水流れ変更部材６６があるので、冷却水は、冷却水流れ変更部材６６の位置で流れを上向きに変え、シリンダヘッドの冷却水流路へと排出される。
【００５３】
図２８に示すシリンダブロック３１の冷却水供給口３５から供給された冷却水５３は、先ず、ウォータージャケットスペーサー３６ｂの各ボア部５６１と溝状冷却水流路のシリンダボア側の壁面とは反対側の壁面との間を通って、一方の片側半分の溝状冷却水流路１４ａに流れ込む。次いで、一方の片側半分の溝状冷却水流路１４ａの冷却水が流れ込む側には、ウォータージャケットスペーサー３６ｂの各ボア部５６１があり、図２５に示すように、各ボア部５６１の背面側には、一方の片側半分の溝状冷却水流路１４ａの入り口近傍に位置する部分６５を始点として、上り傾斜の傾斜壁５０が形成されているので、冷却水５３は、この傾斜壁５０により流れが変えられて、ウォータージャケットスペーサーのボア間部５４の上部に形成されている冷却水通過口４５に向かって流れる。つまり、傾斜壁５０により、ボア間部５４の上部に形成されている冷却水通過口４５に向かって流れる冷却水の流れが作られる。図２０に示す形態例のウォータージャケットスペーサー３６ｂには、ボア間部５４の上部３箇所に、冷却水通過口４５ａ、４５ｂ、４５ｃが形成されており、傾斜壁５０ａと傾斜壁５０ｂと傾斜壁５０ｃの３つが、冷却水通過口４５ａに向かう冷却水流れと、冷却水通過口４５ｂに向かう冷却水流れと、冷却水通過口４５ｃに向かう冷却水流れとを作る。次いで、冷却水通過口４５の近傍には、冷却水通過口４５に向かって流れてきた冷却水５３が冷却水通過口４５に流れ込むように誘導する誘導壁４６が形成されているので、冷却水通過口４５に向かって流れてきた冷却水５３は、誘導壁４６よって、冷却水通過口４５に流れ込み、ウォータージャケットスペーサー３６ｂの外側から内側へと流れていく。冷却水通過口４５は、ウォータージャケットスペーサーのボア間部５４の上部に形成されているので、冷却水通過口４５の先には、各シリンダボアのボア壁の境界１９２及びその近傍の上部がある。そして、一方の片側半分の溝状冷却水流路１４ａの各ボア部５６１の背面側に流れ込んでくる冷却水５３は、温度が低く、また、各シリンダボアのボア壁の境界１９２及びその近傍の上部は、溝状冷却水流路のシリンダボア側の壁面のうち、最も温度が高くなる部分である。そのため、ウォータージャケットスペーサー３６ｂによれば、一方の片側半分の溝状冷却水流路１４ａの各ボア部５６１の背面側に流れ込んでくる冷却水５３、すなわち、温度が低い冷却水を、溝状冷却水流路のシリンダボア側の壁面のうち、最も温度が高くなる部分に当てることができるので、冷却効率が高くなる。
【００５４】
また、一方の片側半分の溝状冷却水流路１４ａの各ボア部５６１、各ボア部５６２ａ、各ボア部５６２ｂの背面側の冷却水のうち、冷却水通過口４５に流れ込まなかった冷却水は、各ボア部５６２ｃの背面側を流れて、他方の片側半分の溝状冷却水流路１４ｂに流れ、図２６に示すように、各ボア部５６２ｄの背面側、各ボア部５６２ｅの背面側と流れていき、冷却水流れ変更部材６６が形成されている位置まで流れていく。図２７に示すように、冷却水流れ変更部材６６まで流れてきた冷却水５３は、冷却水流れ変更壁６６１に当たり、流れ方向を上向きに変えて流れ、シリンダブロック３１の上に設置されているシリンダヘッドの冷却水流路へと流れていく。なお、冷却水流れ変更部材６６には、冷却水５３を冷却水流れ変更壁６６１に向かって流れ込ませ且つ冷却水が冷却水流れ変更壁６６１と溝状冷却水流路のシリンダボア側の壁面とは反対側の壁面との隙間を通り抜け難くするために、冷却水流れ変更壁６６１の横側且つ流れ方向の手前に張り出す囲い壁６６２が形成されている。
【００５５】
また、冷却水流れ変更部材６６の冷却水流れ変更壁６６１は、冷却水供給口３５から溝状冷却水流路１４に供給された冷却水が、各ボア部５６２ｅに向かって流れるのを防ぐ役割も果たす。
【００５６】
本発明の第一の形態のウォータージャケットスペーサーは、シリンダボアを有する内燃機関のシリンダブロックの溝状冷却水流路に設置され、周方向に見たときに、溝状冷却水流路の周方向全部又は周方向の一部に設置されるウォータージャケットスペーサーであり、
ボア間部上部の少なくとも一箇所に、該ウォータージャケットスペーサーの背面側の冷却水が内側に通り抜けるための冷却水通過口が形成されており、
該冷却水通過口近傍に、該冷却水通過口に冷却水が流れ込むように冷却水を誘導する誘導壁を有し、
該溝状冷却水流路に冷却水が供給される位置の背面側に、上り傾斜で延び、該冷却水通過口に向かう冷却水の流れを作る傾斜壁を有すること、
を特徴とするウォータージャケットスペーサーである。
【００５７】
本発明の第一の形態のウォータージャケットスペーサーは、内燃機関のシリンダブロックの溝状冷却水流路に設置される。本発明のウォータージャケットスペーサーが設置されるシリンダブロックは、シリンダボアが直列に２つ以上並んで形成されているオープンデッキ型のシリンダブロックである。シリンダブロックが、シリンダボアが直列に２つ並んで形成されているオープンデッキ型のシリンダブロックの場合、シリンダブロックは、２つの端ボアからなるシリンダボアを有している。また、シリンダブロックが、シリンダボアが直列に３つ以上並んで形成されているオープンデッキ型のシリンダブロックの場合、シリンダブロックは、２つの端ボアと１つ以上の中間ボアとからなるシリンダボアを有している。なお、本発明では、直列に並んだシリンダボアのうち、両端のボアを端ボアと呼び、両側が他のシリンダボアで挟まれているボアを中間ボアと呼ぶ。
【００５８】
本発明の第一の形態のウォータージャケットスペーサーが設置されるのは、溝状冷却水流路である。内燃機関の多くでは、シリンダボアの溝状冷却水流路の中下部に相当する位置が、ピストンの速さが速くなる位置なので、この溝状冷却水流路の中下部にスペーサーを設置することが好ましい。図２では、溝状冷却水流路１４の最上部９と最下部８の中間近傍の位置１０を、点線で示しているが、この中間近傍の位置１０から下側の溝状冷却水流路１４の部分を、溝状冷却水流路の中下部と呼ぶ。なお、溝状冷却水流路の中下部とは、溝状冷却水流路の最上部と最下部の丁度中間の位置から下の部分という意味ではなく、最上部と最下部の中間位置の近傍から下の部分という意味である。また、内燃機関の構造によっては、ピストンの速さが速くなる位置が、シリンダボアの溝状冷却水流路の下部に当たる位置である場合もあり、その場合は、溝状冷却水流路の下部にスペーサーを設置することが好ましい。よって、溝状冷却水流路の最下部からどの位置までを本発明のウォータージャケットスペーサーの設置位置とするか、つまり、ウォータージャケットスペーサーの上端の位置を溝状冷却水流路の上下方向のどの位置にするかは、適宜選択される。
【００５９】
本発明の第一の形態のウォータージャケットスペーサーは、周方向に見たときの溝状冷却水流路の周方向全部又は周方向の一部に設置される。本発明の第一の形態のウォータージャケットスペーサーとしては、例えば、図５に示す形態例のように、全溝状冷却水流路のうち片側半分に設置されるウォータージャケットスペーサーや、全溝状冷却水流路の全部に設置されるウォータージャケットスペーサーが挙げられる。また、本発明の第一の形態のウォータージャケットスペーサーとしては、例えば、全溝状冷却水流路のうち一方の片側半分とそれに続く他方の片側半分の一部に設置されるウォータージャケットスペーサーが挙げられる。なお、本発明において、片側半分とは、溝状冷却水流路の周方向の片側半分との意味である。
【００６０】
本発明の第一の形態のウォータージャケットスペーサーは、上から見たときに、複数の円弧が繋がった形状であり、本発明のウォータージャケットスペーサーを設置する溝状冷却水流路に沿う形状を有する。そして、各シリンダボア側の本発明のウォータージャケットスペーサーの各部分が、ウォータージャケットスペーサーの各ボア部である。つまり、本発明の第一の形態のウォータージャケットスペーサーの円弧状の部分のそれぞれが、各ボア部である。
【００６１】
本発明の第一の形態のウォータージャケットスペーサーは、例えば、合成樹脂の射出成形体である。つまり、本発明の第一の形態のウォータージャケットスペーサーは、例えば合成樹脂で形成されている。本発明の第一の形態のウォータージャケットスペーサーを形成する合成樹脂としては、内燃機関のシリンダブロックの溝状冷却水流路内に設置されるウォータージャケットスペーサーに用いることができる程度に耐熱性及び耐ＬＬＣ（ロングライフクーラント）性を有する合成樹脂であれば、特に制限されない。
。
【００６２】
ウォータージャケットスペーサーの各ボア部には、背面側に傾斜壁が形成されている各ボア部と、傾斜壁が形成されていない各ボア部とがある。
【００６３】
背面側に傾斜壁が形成されている各ボア部は、冷却水が溝状冷却水流路内に供給される位置にある各ボア部である。そして、本発明の第一の形態のウォータージャケットスペーサーには、冷却水が供給される位置のウォータージャケットスペーサーの各ボア部に、傾斜壁に加え、冷却水当たり面及び冷却水流れ抑制壁が形成されている形態（以下、本発明の第一（Ａ）の形態のウォータージャケットスペーサーとも記載する。）と、冷却水が供給される位置のウォータージャケットスペーサーの各ボア部に、傾斜壁は形成されているが、冷却水当たり面及び冷却水流れ抑制壁は形成されていない形態（以下、本発明の第一（Ｂ）の形態のウォータージャケットスペーサーとも記載する。）と、がある。
【００６４】
本発明の第一（Ａ）の形態のウォータージャケットスペーサーは、冷却水供給口から溝状冷却水流路内に流れ込んできた冷却水が、ウォータージャケットスペーサーに当たる位置において、冷却水が溝状冷却水流路内に流れ込む方向に対するウォータージャケットスペーサーの背面側の傾きが比較的大きくなるシリンダブロックに設置されるウォータージャケットスペーサーである。そして、本発明の第一（Ａ）の形態のウォータージャケットスペーサーが設置されるシリンダブロックでは、冷却水供給口から溝状冷却水流路内に流れ込んでくる冷却水は、ウォータージャケットスペーサーの背面側の冷却水当たり面に強く当たり、その後、冷却水流れ抑制壁の存在により、冷却水流れ抑制壁が形成されている方向とは反対側に流れる。
【００６５】
本発明の第一（Ａ）の形態のウォータージャケットスペーサーでは、背面側に傾斜壁が形成されている各ボア部の、冷却水供給口から供給される冷却水が最初に当たる位置に、冷却水当たり面が形成されており、且つ、その冷却水当たり面の、冷却水が流れて行く側とは反対側の部分を囲むように、冷却水流れ抑制壁が形成されている。
【００６６】
本発明の第一（Ａ）の形態のウォータージャケットスペーサーに係る冷却水当たり面は、シリンダブロックの外から供給される冷却水が最初に当たる面である。図１に示す形態例では、図１に示す位置に、冷却水供給口１５があるが、内燃機関の種類により、冷却水供給口の位置は変わる。そのため、冷却水当たり面が形成される位置は、本発明のウォータージャケットスペーサーが設置されるシリンダブロックの冷却水供給口の形成位置合わせて、適宜選択される。
【００６７】
本発明の第一（Ａ）の形態のウォータージャケットスペーサーに係る冷却水流れ抑制壁は、冷却水当たり面に当たった冷却水が、冷却水流れ方向とは反対方向に流れず且つ傾斜壁に向かって流れるようにする壁である。そのため、冷却水流れ抑制壁は、冷却水当たり面の冷却水が流れて行く側とは反対側の部分を囲むように形成されている。つまり、冷却水当たり面の冷却水が流れて行く側とは反対側部分の上側と横側と下側に、壁が形成されている。図５に示す形態例では、冷却水の当たり面の冷却水が流れていく側とは反対側の横側の全てに、冷却水流れ抑制壁の横側部２４１が、冷却水の当たり面の下側の全てに冷却水流れ抑制壁の下側部２４２が、冷却水の当たり面の上側の半分程度に冷却水流れ抑制壁の上側部２４３が形成されているが、これに制限されず、冷却水当たり面の冷却水が流れていく側とは反対側の部分が、冷却水流れ抑制壁により囲まれる程度は、本発明の効果を奏する範囲で、適宜選択される。また、図５に示す形態例は、冷却水流れ抑制壁は、横から見たときに、各壁部分は全て直線状の形状であるが、これに制限されない。例えば、図３０に示す形態例では、冷却水当たり面２９ｂの冷却水が流れていく側とは反対側に、横から見たときに略Ｃ字状の曲線状の冷却水流れ抑制壁２４ｂが形成されている。
【００６８】
冷却水流れ抑制壁は、溝状冷却水流路内に供給された冷却水が、冷却水供給口の近傍にある冷却水排出口に、直ぐに流れ込んでしまうのを防止する部位でもある。
【００６９】
本発明の第一（Ａ）の形態のウォータージャケットスペーサーにおいて、傾斜壁は、冷却水当たり面に当たった後、冷却水流れ方向に流れ出した冷却水が、冷却水通過口に向かって流れるように、冷却水の当たり面から冷却水通過口に向かう冷却水の流れを作る壁である。傾斜壁は、冷却水当たり面の近傍を始点として、冷却水の当たり面の近傍から上り傾斜で延びている。傾斜壁の数は、ウォータージャケットスペーサーに形成される冷却水通過口の数に応じて、適宜選択される。傾斜壁の傾斜角度は、ウォータージャケットスペーサーに形成される冷却水通過口の位置により、適宜選択される。傾斜壁の終点は、本発明の効果を奏する範囲で、適宜選択される。図５に示す形態例では、傾斜壁３０ａ、３０ｂは、ボア間部の近傍まで延びており、傾斜壁３０ａは、誘導壁２６ａの下端と繋がっている。傾斜壁は、誘導壁に繋がっていても、繋がっていなくてもよい。なお、本発明において、上り傾斜とは、冷却水が流れる方向に進むに従って位置が高くなることを指す。
【００７０】
本発明の第一（Ｂ）の形態のウォータージャケットスペーサーは、冷却水供給口から供給された冷却水の一部がウォータージャケットスペーサーに当たるシリンダブロックであり、冷却水供給口から供給された冷却水の一部がウォータージャケットスペーサーに当たる位置において、冷却水が溝状冷却水流路内に流れ込む方向に対するウォータージャケットスペーサーの背面側の傾きが比較的小さくなるシリンダブロックに設置されるウォータージャケットスペーサーである。そして、本発明の第一（Ｂ）の形態のウォータージャケットスペーサーが設置されるシリンダブロックでは、冷却水供給口から供給された冷却水の一部がウォータージャケットスペーサーの背面側に当たるものの、強く当たらず、且つ、冷却水供給口から供給された冷却水の多くが、ウォータージャケットスペーサーと溝状冷却水流路のシリンダボア側の壁面とは反対側の壁面との間を通り抜けるように流れる。
【００７１】
本発明の第一（Ｂ）の形態のウォータージャケットスペーサーに係る傾斜壁は、冷却水供給口から流れ込んでくる冷却水がウォータージャケットスペーサーに最初に当たる位置近傍を始点として、上り傾斜で延びている。図２８に示す形態例では、図２８に示す位置に、冷却水供給口３５があるが、内燃機関の種類により、冷却水供給口の位置は変わる。そのため、傾斜壁の始点の位置は、本発明のウォータージャケットスペーサーが設置されるシリンダブロックの冷却水供給口の形成位置合わせて、適宜選択される。
【００７２】
そして、本発明の第一（Ｂ）の形態のウォータージャケットスペーサーにおいて、傾斜壁は、冷却水供給口から流れ込んでくる冷却水が、冷却水通過口に向かって流れるように、ウォータージャケットスペーサーに冷却水が最初に当たる位置近傍から冷却水通過口に向かう冷却水の流れを作る壁である。傾斜壁は、冷却水供給口から流れ込んでくる冷却水がウォータージャケットスペーサーに最初に当たる位置近傍を始点として、上り傾斜で延びている。傾斜壁の数は、ウォータージャケットスペーサーに形成される冷却水通過口の数に応じて、適宜選択される。傾斜壁の傾斜角度は、ウォータージャケットスペーサーに形成される冷却水通過口の位置により、適宜選択される。傾斜壁の終点は、本発明の効果を奏する範囲で、適宜選択される。図２０に示す形態例では、傾斜壁５０ａ、５０ｂ、５０ｃは、ボア間部の近傍まで延びており、傾斜壁５０ａは、誘導壁４６ａの下端と繋がっている。傾斜壁は、誘導壁に繋がっていても、繋がっていなくてもよい。
【００７３】
本発明の第一（Ａ）の形態及び第一（Ｂ）の形態のウォータージャケットスペーサーには、ボア間部の上部に、冷却水通過口が形成されている。冷却水通過口は、ウォータージャケットスペーサーの背面側の冷却水が、ウォータージャケットスペーサーの内側に通り抜ける通過口である。そして、冷却水通過口の近傍には、誘導壁が形成されている。誘導壁は、冷却水の当たり面から冷却水通過口に向かって流れてくる冷却水が、冷却水通過口に流れ込むように、冷却水を誘導するための壁である。冷却水通過口には、斜め下から冷却水が向かってくるので、図２９（Ａ）に示す誘導壁２６ｄように、冷却水通過口の冷却水流れ方向側の横側に誘導壁があれば、冷却水通過口に向かって流れてくる冷却水を、冷却水通過口の冷却水流れ方向側の横側にある誘導壁で、堰き止めることができるので、冷却水を、冷却水通過口２５に流れ込ませることができる。よって、誘導壁は、少なくとも、冷却水流れ方向側の横側に壁を有していればよい。また、誘導壁としては、図２９（Ｂ）に示す誘導壁２６ｅように、冷却水通過口の上側に誘導壁上側部２６１ｅと冷却水流れ方向側の横側に誘導壁横側部２６２ｅとを有する形態例が挙げられる。冷却水は、冷却水通過口に向かって、斜め下から流れてくるので、冷却水通過口の流れ方向の横側にある誘導壁横側部に加え、冷却水通過口の上側に、誘導壁上側部があることにより、冷却水を、冷却水通過口に流れ込ませる効果が高まる。ここで、冷却水通過口の横側に加えて上側にも誘導壁を形成させることは、冷却水の圧力損失が大きくなることに繋がるため、本発明のウォータージャケットスペーサーにおいて、誘導壁を、冷却水通過口の流れ方向側の横側のみに形成させるか、あるいは、誘導壁を、冷却水通過口の流れ方向側の横側及び上側に形成させるかは、適宜選択される。つまり、圧力損失を増大させないことに重きを置く場合には、冷却水通過口の流れ方向側の横側のみに誘導壁を形成させ、また、圧力損失の増大よりも冷却効率に重きを置く場合には、冷却水通過口の流れ方向側の横側及び上側に誘導壁を形成させる。また、冷却水当たり面から冷却水通過口に向かって流れてくる冷却水には、冷却水通過口より少し下方を流れるものもある。そこで、図２９（Ｃ）に示すように、冷却水通過口の冷却水流れ方向側の横側の誘導壁横部２６２の壁の下端に向かって上り傾斜で延びる呼び込み壁２６３があると、冷却水通過口より少し下方を流れ通過する冷却水を、冷却水通過口２５に集めることができる。よって、誘導壁が、冷却水通過口の冷却水流れ方向側の誘導壁横部の下端に向かって上り傾斜の呼び込み部を有することが、冷却水通過口に流れ込む冷却水の量を多くすることができる点で、好ましい。呼び込み壁は、誘導壁の下端に繋がっていてもよいし、誘導壁の下端近傍まで延びているのであれば、誘導壁の下端に繋がっていなくてもよく、誘導壁の下端に繋がっていることが好ましい。なお、呼び込み部の有無は、スペーサーの使用目的等に応じて、適宜選択される。
【００７４】
本発明の第一の形態のウォータージャケットスペーサーが、シリンダロックの溝状冷却水流路に設置されている状態で、溝状冷却水流路に冷却水が供給されると、冷却水が溝状冷却水流路内に供給される位置にある各ボア部の背面側に形成されている傾斜壁と、各ボア間部の上部に形成されている冷却水通過口と、冷却水通過口の近傍に形成されている誘導壁により、溝状冷却水流路に供給された冷却水が、冷却水通過口に向かって流れ、冷却水通過口に流れ込み、更に、冷却水通過口を通り抜けて、各シリンダボアのボア壁の境界及びその近傍の上部に当たる。冷却水供給口からウォータージャケットスペーサーの背面側を流れ、冷却水通過口に向かって流れてくる冷却水は、温度が低く、また、各シリンダボアのボア壁の境界及びその近傍の上部は、溝状冷却水流路のシリンダボア側の壁面のうち、最も温度が高くなる部分であるので、本発明の第一の形態のウォータージャケットスペーサーによれば、冷却水供給口から冷却水通過口に向かって流れてくる温度が低い冷却水を、溝状冷却水流路のシリンダボア側の壁面のうち、最も温度が高くなる部分に当てることができるので、冷却効率が高くなる。特に、ドリルパスと呼ばれるボア間壁内に形成される冷却水の通過孔が形成されている場合には、ドリルパスの開口が、各シリンダボアのボア壁の境界及びその近傍の上部にあるので、この場合には、温度の低い冷却水が、各シリンダボア壁のボア壁の境界及びその近傍の上部に当たることにより、この部分を冷却するばかりでなく、冷却水が効率よくドリルパス内に流れるため、ボア間壁を温度の低い冷却水で直接冷却することができる。そのため、冷却効率が高くなる。
【００７５】
本発明の第二の形態のウォータージャケットスペーサーは、シリンダボアを有する内燃機関のシリンダブロックの溝状冷却水流路に設置され、周方向に見たときに、溝状冷却水流路の周方向全部又は周方向の一部に設置されるウォータージャケットスペーサーであり、
ボア間部上部の少なくとも一箇所に、該ウォータージャケットスペーサーの背面側の冷却水が内側に通り抜けるための冷却水通過口が形成されており、
該冷却水通過口近傍に、該冷却水通過口に冷却水が流れ込むように冷却水を誘導する誘導壁と、該誘導壁に向かって上り傾斜で延びる呼び込み壁と、を有すること、
を特徴とするウォータージャケットスペーサーである。
【００７６】
本発明の第二の形態のウォータージャケットスペーサーは、内燃機関のシリンダブロックの溝状冷却水流路に設置される。本発明の第二の形態のウォータージャケットスペーサーが設置されるシリンダブロックは、本発明の第一の形態のウォータージャケットスペーサーが設置されるシリンダブロックと同様に、シリンダボアが直列に２つ以上並んで形成されているオープンデッキ型のシリンダブロックである。
【００７７】
本発明の第二の形態のウォータージャケットスペーサーが設置される位置は、本発明の第一の形態のウォータージャケットスペーサーと同様に、スペーサーが設置される内燃機関の構造が、シリンダボアの溝状冷却水流路の中下部に相当する位置が、ピストンの速さが速くなる位置である場合、溝状冷却水流路の中下部にスペーサーを設置することが好ましく、また、スペーサーが設置される内燃機関の構造が、ピストンの速さが速くなる位置が、シリンダボアの溝状冷却水流路の下部に当たる位置である場合、溝状冷却水流路の下部にスペーサーを設置することが好ましい。
【００７８】
本発明の第二の形態のウォータージャケットスペーサーは、周方向に見たときの溝状冷却水流路の周方向全部又は周方向の一部に設置される。本発明の第二の形態のウォータージャケットスペーサーとしては、例えば、全溝状冷却水流路の全部に設置されるウォータージャケットスペーサーや、全溝状冷却水流路のうち片側半分に設置されるウォータージャケットスペーサーが挙げられる。また、本発明の第二の形態のウォータージャケットスペーサーとしては、例えば、全溝状冷却水流路のうち一方の片側半分とそれに続く他方の片側半分の一部に設置されるウォータージャケットスペーサーが挙げられる。
【００７９】
本発明の第二の形態のウォータージャケットスペーサーは、上から見たときに、複数の円弧が繋がった形状であり、本発明のウォータージャケットスペーサーを設置する溝状冷却水流路に沿う形状を有する。
【００８０】
本発明の第二の形態のウォータージャケットスペーサーは、例えば、合成樹脂の射出成形体である。つまり、本発明の第二の形態のウォータージャケットスペーサーは、例えば合成樹脂で形成されている。本発明の第二の形態のウォータージャケットスペーサーを形成する合成樹脂としては、本発明の第一の形態のウォータージャケットスペーサーと同様に、内燃機関のシリンダブロックの溝状冷却水流路内に設置されるウォータージャケットスペーサーに用いることができる程度に耐熱性及び耐ＬＬＣ（ロングライフクーラント）性を有する合成樹脂であれば、特に制限されない。
。
【００８１】
本発明の第二の形態のウォータージャケットスペーサーの各ボア部のいずれにも、傾斜壁は形成されていない。
【００８２】
本発明の第二の形態のウォータージャケットスペーサーには、ボア間部の上部に、冷却水通過口が形成されている。冷却水通過口は、ウォータージャケットスペーサーの背面側の冷却水が、ウォータージャケットスペーサーの内側に通り抜ける通過口である。冷却水通過口の近傍には、冷却水通過口に向かって流れてくる冷却水が、冷却水通過口に流れ込むように、冷却水を誘導するための誘導壁が形成されている。本発明の第二の形態のウォータージャケットスペーサーでは、誘導壁は、冷却水通過口の上側に形成されている上部壁と、冷却水通過口の冷却水の流れ方向の横側に形成されている横側壁と、を有する。本発明の第二の形態のウォータージャケットスペーサーは、溝状冷却水流路内に流れ込んできた冷却水が、勢いよく流れる側とは反対側の片側半分の溝状冷却水流路に設置される。そのため、本発明の第二の形態のウォータージャケットスペーサーの背面側では、冷却水はゆっくりと流れている。そして、シリンダブロックには、各シリンダボアのボア壁の境界の上部からシリンダヘッドのボア間壁に抜けるドリルパスと呼ばれる冷却水の通過孔が設けられている場合には、本発明の第二の形態のウォータージャケットスペーサーの背面側の溝状冷却水流路には、各シリンダボアのボア壁の境界の上部、つまり、ボア間部の上部に形成されている冷却水通過口に向かって、緩やかな冷却水の流れが生じている。そして、本発明の第二の形態のウォータージャケットスペーサーでは、誘導壁の横側壁に向かって上り傾斜で、誘導壁の横側壁に向かって延びる呼び込み壁が形成されている。呼び込み壁により、冷却水通過口の下側を流れる冷却水は、冷却水通過口に向かってくる冷却水と共に、冷却水通過口の方に集められ、誘導壁によって、冷却水通過口に流れ込む。そのため、本発明の第二の形態のウォータージャケットスペーサーによれば、背面側を流れる冷却水を集めて、ドリルパスの入り口に流れ込ませることができるので、冷却効率が高くなる。呼び込み壁は、誘導壁の下端に繋がっていてもよいし、誘導壁の下端近傍まで延びているのであれば、誘導壁の下端に繋がっていなくてもよく、誘導壁の下端に繋がっていることが好ましい。
【００８３】
なお、図１３及び図１４に示す形態例では、シリンダブロックの溝状冷却水流路の一方の片側半分に本発明の第一の形態のウォータージャケットスペーサーが設置され、且つ、他方の片側半分に本発明の第二の形態のウォータージャケットスペーサーが設置されているが、これに限定されず、シリンダブロックの溝状冷却水流路に、本発明の第一の形態のウォータージャケットスペーサーのみが設置されていてもよいし、あるいは、溝状冷却水流路に、本発明の第二の形態のウォータージャケットスペーサーのみが設置されていてもよいし、あるいは、溝状冷却水流路の一方の片側半分に本発明の第一の形態のウォータージャケットスペーサーが設置され、且つ、他方の片側半分に本発明の第二の形態のウォータージャケットスペーサーが設置されていてもよいし、あるいは、溝状冷却水流路の一方の片側半分に本発明の第一の形態のウォータージャケットスペーサーが設置され、且つ、他方の片側半分には本発明のウォータージャケットスペーサー以外のウォータージャケットスペーサー又はシリンダボア壁の保温具が設置されていてもよいし、あるいは、溝状冷却水流路の一方の片側半分に本発明の第二の形態のウォータージャケットスペーサーが設置され、且つ、他方の片側半分には本発明のウォータージャケットスペーサー以外のウォータージャケットスペーサー又はシリンダボア壁の保温具が設置されていてもよいし、あるいは、後述する本発明の第一の形態のウォータージャケットスペーサー及び本発明の第二の形態のウォータージャケットスペーサーを組み合わせた形態のウォータージャケットスペーサーが設置されていてもよい。
【００８４】
本発明の第一の形態のウォータージャケットスペーサー及び本発明の第二の形態のウォータージャケットスペーサーとしては、周方向に見たときに、溝状冷却水流路の全周に沿う形状であり、且つ、本発明の第一の形態のウォータージャケットスペーサーと本発明の第二の形態のウォータージャケットスペーサーとの組み合わせのウォータージャケットスペーサーが挙げられる。図３１〜図３４に示す形態例のウォータージャケットスペーサー３６ｃは、溝状冷却水流路の全周に沿う形状であり、且つ、冷却水が溝状冷却水流路内に供給される位置にある各ボア部５６１に傾斜壁が形成されており、冷却水の流れが強い方の片側半分の溝状冷却水流路に設置されるボア間部の上部には、冷却水通過口４５ａ、４５ｂ、４５ｃ及び誘導壁４６ａ、４６ｂ、４６ｃが形成されており、必要に応じて設けられる呼び込み壁４６３が形成されており、且つ、冷却水の流れが強い方とは反対側の片側半分の溝状冷却水流路に設置されるボア間部の上部には、冷却水通過口４６ｄ、４６ｅ、４６ｆ、冷却水通過口の上側の上側壁と冷却水通過口の流れ方向の横側の横側壁とを有する誘導壁、及び呼び込み壁が形成されている。また、冷却水の流れが強い方とは反対側の片側半分の溝状冷却水流路の冷却水供給口の手前には、冷却水流れ変更部材６６が形成されている。
【００８５】
本発明の第一の形態のウォータージャケットスペーサー及び本発明の第二の形態のウォータージャケットスペーサーを組み合わせた形態としては、つまり、溝状冷却水流路の全周に沿う形状であり、一方の片側半分に本発明の第一の形態のウォータージャケットスペーサーの特徴を有し、且つ、他方の片側半分に本発明の第二の形態のウォータージャケットスペーサーの特徴を有するウォータージャケットスペーサーは、シリンダボアを有する内燃機関のシリンダブロックの溝状冷却水流路に設置され、周方向に見たときに、溝状冷却水流路の周方向全部に設置されるウォータージャケットスペーサーであり、
冷却水が溝状冷却水流路内に供給される位置に傾斜壁が形成されており、
冷却水の流れが強い方の片側半分の溝状冷却水流路に設置されるボア間部の上部の少なくとも一箇所に、該ウォータージャケットスペーサーの背面側の冷却水が内側に通り抜けるための冷却水通過口と、該冷却水通過口の近傍に、該冷却水通過口に冷却水が流れ込むように冷却水を誘導する誘導壁（少なくとも、冷却水の流れ方向の横側の横側壁を有し、必要に応じて、上側の上側壁を有する。）と、が形成されており、必要に応じて、更に、該誘導壁に向かって上り傾斜で延びる呼び込み壁が形成されており、
冷却水の流れが強い方とは反対側の片側半分の溝状冷却水流路に設置されるボア間部の上部の少なくとも一箇所に、該ウォータージャケットスペーサーの背面側の冷却水が内側に通り抜けるための冷却水通過口と、該冷却水通過口の近傍に、該冷却水通過口に冷却水が流れ込むように冷却水を誘導する誘導壁（上側の上側壁と、冷却水の流れ方向の横側の横側壁と、を有する。）と、該誘導壁に向かって上り傾斜で延びる呼び込み壁と、が形成されていること、
を特徴とするウォータージャケットスペーサーである。呼び込み壁は、誘導壁の下端に繋がっていてもよいし、誘導壁の下端近傍まで延びているのであれば、誘導壁の下端に繋がっていなくてもよく、誘導壁の下端に繋がっていることが好ましい。
【００８６】
本発明の第一の形態及び第二の形態のウォータージャケットスペーサーは、ウォータージャケットスペーサーの背面側の上部に、冷却水の流れ方向に平行に延びる横リブを有することができる。本発明の第一の形態及び第二の形態のウォータージャケットスペーサーが、背面側の上部に、冷却水の流れ方向に平行に延びる横リブを有することにより、溝状冷却水流路の上部を流れる冷却水が、中下部に下がってくるのを防ぐことができる。背面側の上部に形成される冷却水の流れ方向に平行に延びる横リブの上下方向の形成位置、冷却水の流れ方向の形成位置及び長さ等は、適宜選択される。
【００８７】
本発明の第一の形態及び第二の形態のウォータージャケットスペーサーは、ウォータージャケットスペーサーの上方へのずれを防止するために各ボア部に形成されるシリンダヘッド当接部や、その他の部位や部材を有することもできる。
【００８８】
本発明の内燃機関は、シリンダブロックの溝状冷却水流路の全部又は一部に、本発明の第一の形態のウォータージャケットスペーサー、本発明の第二の形態のウォータージャケットスペーサー又は本発明の第一の形態のウォータージャケットスペーサーと本発明の第二の形態のウォータージャケットスペーサーとを組み合わせた形態のウォータージャケットスペーサーが、少なくとも１つ設置されていることを特徴とする内燃機関である。
【００８９】
本発明の内燃機関は、シリンダブロックの溝状冷却水流路の一方の片側半分に、第一の形態のウォータージャケットスペーサーが設置されており、且つ、シリンダブロックの溝状冷却水流路の他方の片側半分に、第二の形態のウォータージャケットスペーサーが設置されていることを特徴とする内燃機関。
【００９０】
本発明の内燃機関には、シリンダブロックの溝状冷却水流路の全部又は一部に、本発明の第一の形態のウォータージャケットスペーサー又は本発明の第二の形態のウォータージャケットスペーサーが設置されており、本発明の第一の形態のウォータージャケットスペーサー又は本発明の第二の形態のウォータージャケットスペーサーが設置されていない溝状冷却水流路に、本発明のウォータージャケットスペーサー以外のウォータージャケットスペーサー又はシリンダボア壁の保温具が設置されていてもよい。
【００９１】
本発明の自動車は、本発明の内燃機関を有することを特徴とする自動車である。
【産業上の利用可能性】
【００９２】
本発明によれば、温度の低い冷却水を、各シリンダボア壁のボア壁の境界及びその近傍の上部に当てることができるので、冷却効率が高くなる。特に、エンジンが従来に比べ高温になる空燃比が大きい内燃機関の冷却効率を高くすることができる。
【符号の説明】
【００９３】
６、６ｃ          接触面
８                最下部
９                最上部
１０              中間近傍の位置
１１、３１        シリンダブロック
１２              ボア
１２ａ１、１２ａ２  端ボア
１２ｂ１、１２ｂ２  中間ボア
１３              シリンダボア壁
１４              溝状冷却水流路
１４ａ、１４ｂ    片側半分の溝状冷却水流路
１５、３５        冷却水供給口
１６              冷却水排出口
１７              溝状冷却水流路１４のシリンダボア側の壁面
１８              溝状冷却水流路１４のシリンダボア側の壁面とは反対側の壁面
２０ａ、２０ｂ    片側半分
２１ａ、２１ｂ    片側半分のボア壁
２３ａ１、２３ａ２、２３ｂ１、２３ｂ２  各シリンダボアのボア壁
２４、２４ｂ      冷却水流れ抑制壁
２５、２５ａ、２５ｂ、２５ｃ、２５ｄ、２５ｅ、２５ｆ、２５ｇ、２５ｈ、４５ａ、４５ｂ、４５ｃ、４５ｄ、４５ｅ、４５ｆ  冷却水通過口
２６、２６ａ、２６ｂ、２６ｃ、２６ｄ、２６ｅ、４６ａ、４６ｂ、４６ｃ、４６ｄ、４６ｅ、４６ｄ、１２６ａ、１２６ｂ、１２６ｃ  誘導壁
２９、２９ｂ      冷却水当たり面
３０、３０ａ、３０ｂ、５０ａ、５０ｂ、５０ｃ  傾斜壁
３４、５５        縦リブ
３６ａ、３６ｂ、３６ｃ、１３６ａ  ウォータージャケットスペーサー
４８              ウォータージャケットスペーサーの各ボア部の境界
５１              冷却水の流れ方向
５２              冷却水の流れ方向とは反対方向
５３              冷却水
５４              ウォータージャケットスペーサーのボア間部
６６              冷却水流れ変更部材
１９１            ボア間壁
１９２            溝状冷却水流路のシリンダボア側の壁面の各シリンダボアのボア壁の境界
２４１            冷却水流れ抑制壁の横側部
２４２            冷却水流れ抑制壁の下側部
２４３            冷却水流れ抑制壁の上側部
２６１、２６１ｅ  誘導壁の上側部
２６２、２６２ｅ  誘導壁の横側部
２６３            誘導壁の呼び込み部
３６１、３６１ｂ、５６１  傾斜壁が形成されている各ボア部
３６２、３６２ａ、３６２ｂ、３６２ｃ、３６３ａ、３６３ｂ、３６３ｃ、３６３ｄ、５６２、５６２ａ、５６２ｂ、５６２ｃ、５６２ｄ、５６２ｅ  傾斜壁が形成されていない各ボア部
６６１            冷却水流れ変更壁
６６２            囲い壁
【図１】
2018131963.tif 000003
【図２】
2018131963.tif 000004
【図３】
2018131963.tif 000005
【図４】
2018131963.tif 000006
【図５】
2018131963.tif 000007
【図６】
2018131963.tif 000008
【図７】
2018131963.tif 000009
【図８】
2018131963.tif 000010
【図９】
2018131963.tif 000011
【図１０】
2018131963.tif 000012
【図１１】
2018131963.tif 000013
【図１２】
2018131963.tif 000014
【図１３】
2018131963.tif 000015
【図１４】
2018131963.tif 000016
【図１５】
2018131963.tif 000017
【図１６】
2018131963.tif 000018
【図１７】
2018131963.tif 000019
【図１８】
2018131963.tif 000020
【図１９】
2018131963.tif 000021
【図２０】
2018131963.tif 000022
【図２１】
2018131963.tif 000023
【図２２】
2018131963.tif 000024
【図２３】
2018131963.tif 000025
【図２４】
2018131963.tif 000026
【図２５】
2018131963.tif 000027
【図２６】
2018131963.tif 000028
【図２７】
2018131963.tif 000029
【図２８】
2018131963.tif 000030
【図２９】
2018131963.tif 000031
【図３０】
2018131963.tif 000032
【図３１】
2018131963.tif 000033
【図３２】
2018131963.tif 000034
【図３３】
2018131963.tif 000035
【図３４】
2018131963.tif 000036